(57)【要約】【課題】防音床板Ａの施工時、床面の形状や面積によって定寸法の防音床板Ａだけでは施工できない場合に床面の周囲に施工されるボーダー部材Ａ１，Ａ２及びそのセットを提供し、施工現場から排出される廃棄物を低減させ、また施工性や取扱性にも優れ、さらには製造時の不良製品をも良好に活用して廃棄量を低減させる。【解決手段】ボーダー部材Ａ１，Ａ２として、幅方向両側端面にそれぞれ互いに嵌合可能な雌実部８及び雄実部９が設けられ、長さ方向両側端面の一方に雄実部７又は雌実部６が設けられ、長さ方向の寸法が防音床板Ａの長さ寸法の１０％以上でかつ９０％以下の範囲にあるものとする。【選択図】  図１
2004169519.tif 000002
【特許請求の範囲】
【請求項１】
建築用化粧板の施工箇所周りの少なくとも一部に施工される略矩形状の建築用化粧板のボーダー部材であって、
幅方向両側端面の一方には雌実部が、また他方には該雌実部に嵌合可能な雄実部がそれぞれ設けられている一方、
長さ方向両側端面の一方には雌実部又は雄実部が設けられており、
長さ方向の寸法が上記建築用化粧板の長さ寸法の１０％以上でかつ９０％以下の範囲にあることを特徴とする建築用化粧板のボーダー部材。
【請求項２】
建築用化粧板の施工箇所周りの少なくとも一部に施工される略矩形状の建築用化粧板のボーダー部材であって、
幅方向両側端面の一方には雌実部が、また他方には該雌実部に嵌合可能な雄実部がそれぞれ設けられている一方、
長さ方向両側端面の一方には雌実部又は雄実部が設けられており、
長さ方向の寸法が２００ｍｍ以上でかつ上記建築用化粧板の長さ寸法よりも２００ｍｍ短い範囲にあることを特徴とする建築用化粧板のボーダー部材。
【請求項３】
建築用化粧板の施工箇所周りの少なくとも一部に施工される略矩形状の建築用化粧板のボーダー部材であって、
上記建築用化粧板の製造中又は製造後から施工前までに生じた欠点部を有する建築用化粧板から、上記欠点部を幅方向に沿って切断除去することにより形成されたことを特徴とする建築用化粧板のボーダー部材。
【請求項４】
請求項１〜３のいずれか１つのボーダー部材が複数枚組み合わされてセット化されたことを特徴とする建築用化粧板のボーダー部材セット。
【請求項５】
建築用化粧板の施工箇所周りの少なくとも一部に施工される略矩形状の建築用化粧板のボーダー部材が２枚を１ユニットとして組み合わされて複数ユニットにセット化された建築用化粧板のボーダー部材セットであって、
上記各ユニットにおける一方のボーダー部材の長さ方向両側端面の一方には雌実部が、また他方のボーダー部材の長さ方向両側端面の一方には上記雌実部に嵌合可能な雄実部がそれぞれ設けられていて、両ボーダー部材は、各々の実部同士を嵌合したときの全長が一定長さとなるように組み合わされており、
複数のユニットがボーダー部材の厚さ方向又は幅方向の少なくとも一方に配置されてセット化されていることを特徴とする建築用化粧板のボーダー部材セット。
【請求項６】
請求項５の建築用化粧板のボーダー部材セットにおいて、
各ユニットにおける両ボーダー部材の全長が、建築用化粧板の長さ方向の寸法と同じ寸法に形成されていることを特徴とする建築用化粧板のボーダー部材セット。
【発明の詳細な説明】
【０００１】
【発明の属する技術分野】
本発明は、住宅の床材等の内装に用いられる建築用化粧板に対しそのボーダーとして使用されるボーダー部材及びそれらを用いたボーダー部材セットに関する技術分野に属する。
【０００２】
【従来の技術】
従来から、例えば住宅用化粧床板として、厚さが７ｍｍから１５ｍｍ程度、幅が７０ｍｍから２００ｍｍ程度、長さが６００ｍｍから１８００ｍｍ程度の小幅板からなる木質系化粧床板を用いることは知られている。
【０００３】
また、上記小幅な複数枚の木質系化粧床板をその幅方向（短手方向）の両側端面が階段状にずれて長さ方向（長手方向）に接合した木質系化粧床板も知られている。
【０００４】
さらに、このような木質系化粧床板の裏面にクッション材を貼着した直張り用化粧床板や防音用化粧床板、或いは床板内部に温水式や電気式等の暖房装置を内蔵した暖房床材等も知られている。
【０００５】
そして、これらの化粧床板に、その四周側端部に実加工や面取り加工が施され、或いは化粧床板の央部に化粧目地溝が形成されているものも知られている。
【０００６】
ところで、このような化粧床板を床面に敷設施工する場合、床面の形状や面積によって上記定寸法の化粧床板だけでは施工できないことが多く（特に、マンション等の間取り）、このため、床面の周辺部には、上記定寸法の化粧床板を施工現場で必要寸法に切断して周囲床板とし、これを施工することが行われていた。尚、このような施工方法は、例えば特許文献１や、木質系床材ではないが特許文献２等に記載がある。
【０００７】
一方、上記木質系化粧床板は、例えば合板、ＭＤＦ、集成材等からなる木質基板の表面に印刷化粧紙や突板を貼着し、この表面に着色塗料、透明又は着色半透明の塗料を塗布して製造されるのであるが、製造途中で部分的な塗装ムラを生じたり、角欠け、へこみ、傷等を生じたりすることがあり、このような欠点部を有する製品は検査で除外されて廃棄や焼却等の処分がされているのが現状である。
【０００８】
【特許文献１】
特許第２９９１５７８号公報（特に段落０００６）
【特許文献２】
特開平７―２５９３０９号公報（特に段落０００２）
【０００９】
【発明が解決しようとする課題】
しかしながら、上記従来のように木質系化粧床板を切断して周囲床板に用いる場合、長い床板を狭い空間で切断作業する必要があり、その作業性が悪い。また、切断により不用部分が多く出るのは避けられず、昨今の建築廃材の処理問題がある中でその排出量の低減が望まれている。
【００１０】
また、木質系化粧床板の製造時に、上記欠点部が生じた不良製品についても、廃棄や焼却量をできるだけ減らすということが望まれている。
【００１１】
そして、このような問題は、上記に例示した木質系化粧床板に限らず、壁材や天井材等の建築現場で施工面積やその形状に応じて切断加工される建築用化粧板の全般に該当する。
【００１２】
本発明は、このような問題に鑑みてなされたもので、その目的は、施工現場から排出される廃棄物を低減させ、また施工性や取扱性にも優れ、さらには製造時の不良製品をも良好に活用して廃棄量を低減させることができる建築用化粧板ののボーダー部材、及び、このボーダー部材を用いたボーダー部材セットを提供することにある。
【００１３】
【課題を解決するための手段】
上記の目的を達成するために、請求項１の発明では、建築用化粧板の施工箇所周りの少なくとも一部に施工される略矩形状の建築用化粧板のボーダー部材として、幅方向両側端面の一方には雌実部が、また他方には該雌実部に嵌合可能な雄実部がそれぞれ設けられている一方、長さ方向両側端面の一方には雌実部又は雄実部が設けられており、長さ方向の寸法が上記建築用化粧板の長さ寸法の１０％以上でかつ９０％以下の範囲にあることを特徴とする。
【００１４】
また、請求項２の発明では、上記請求項１の発明と同様の建築用化粧板のボーダー部材として、幅方向両側端面の一方には雌実部が、また他方には該雌実部に嵌合可能な雄実部がそれぞれ設けられている一方、長さ方向両側端面の一方には雌実部又は雄実部が設けられており、長さ方向の寸法が２００ｍｍ以上でかつ上記建築用化粧板の長さ寸法よりも２００ｍｍ短い範囲にあることを特徴とする。
【００１５】
このことにより、施工現場においては、例えば床面等の形状や面積によって定寸法の化粧板だけでは施工できないときには、製品としての建築用化粧板を切断して周囲板材を用立てるのではなく、ボーダー部材を用いればよく、その建築用化粧板を切断する場合に較べて、切断屑の発生量を低減させることができるばかりでなく、切断が必要なときにおいても、短いボーダー部材を切断すれば済み、その作業性を良くすることができる。
【００１６】
また、ボーダー部材の長さ方向の寸法は、建築用化粧板の長さの１０％未満（又は２００ｍｍ未満）であると、ボーダー部材の長さが短くなり過ぎ、施工現場において使い道が殆どなく、そのまま廃棄物となってしまうことがある一方、建築用化粧板の長さ寸法の９０％（又は同長さ寸法よりも２００ｍｍ短い寸法）を越えると、ボーダー部材の長さが長くなり過ぎ、施工時に切断屑部分が大きくなって廃棄する量が増えることから、建築用化粧板の長さ寸法の１０％以上（又は２００ｍｍ以上）でかつ９０％以下（建築用化粧板の長さ寸法よりも２００ｍｍ短い寸法）の範囲に設定されている。
【００１７】
請求項３の発明では、請求項１又は２の発明と同様に、建築用化粧板の施工箇所周りの少なくとも一部に施工される略矩形状の建築用化粧板のボーダー部材として、上記建築用化粧板の製造中又は製造後から施工前までに生じた欠点部を有する建築用化粧板から、上記欠点部を幅方向に沿って切断除去することにより形成されたことを特徴とする。
【００１８】
このことにより、請求項１又は２と同様の作用効果を奏することができることに加え、製造不良品として廃棄処理される廃棄物量を低減させることができ、建築用化粧板の製造歩留まりを向上させることができる。
【００１９】
請求項４の発明は建築用化粧板のボーダー部材セットに関する発明であり、このボーダー部材セットは、上記ボーダー部材が複数枚組み合わされてセット化されたことを特徴とする。こうして複数枚のボーダー部材が組み合わされてセット化されているので、その製造や運搬、或いは施工時等における取扱性を向上させることができる。
【００２０】
請求項５の発明では、建築用化粧板の施工箇所周りの少なくとも一部に施工される略矩形状の建築用化粧板のボーダー部材が２枚を１ユニットとして組み合わされて複数ユニットにセット化された建築用化粧板のボーダー部材セットとして、上記各ユニットにおける一方のボーダー部材の長さ方向両側端面の一方には雌実部が、また他方のボーダー部材の長さ方向両側端面の一方には上記雌実部に嵌合可能な雄実部がそれぞれ設けられていて、両ボーダー部材は、各々の実部同士を嵌合したときの全長が一定長さとなるように組み合わされており、複数のユニットがボーダー部材の厚さ方向又は幅方向の少なくとも一方に配置されてセット化されていることを特徴とする。
【００２１】
この構成によると、ボーダー部材セットは、２つのボーダー部材を組み合わせてなる複数のユニットがボーダー部材の厚さ方向又は幅方向の少なくとも一方に配置されたセットとなるので、これら複数ユニットからなるボーダー部材セットを直方体形状に梱包し易くなり、その取扱性を一層向上させることができる。
【００２２】
請求項６の発明では、上記請求項５の建築用化粧板のボーダー部材セットにおいて、各ユニットにおける両ボーダー部材の全長が、建築用化粧板の長さ方向の寸法と同じ寸法に形成されていることを特徴とする。
【００２３】
このことにより、ボーダー部材セットの梱包ケースとして、製品たる建築用化粧板と同じサイズの梱包ケースを使用することが可能となり、製造、運搬、施工時等における堆積作業や搬送作業をより一層良くすることができる。
【００２４】
【発明の実施の形態】
（実施形態１）
図１及び図２は本発明の実施形態１に係る防音床板用の２種類のボーダー部材Ａ１，Ａ２を示し、これらのボーダー部材Ａ１，Ａ２は、建築物の床面において製品としての定寸法の複数枚の防音床板Ａ，Ａ，…（図３及び図４参照）の施工箇所周りの一部又は全部に施工される略矩形状のものである。
【００２５】
上記防音床板Ａは建築用化粧板をなすもので、図３及び図４に示すように、例えば幅が１５０ｍｍ、長さが９００ｍｍ、厚さが１３ｍｍの板材からなる。具体的には、防音床板Ａは、例えば厚さ９ｍｍの化粧合板からなる床板本体１と、この床板本体１の裏面に接着一体化された厚さ４ｍｍのウレタン系樹脂発泡体からなるクッション層２とで構成され、床板本体１の表面には化粧層１ａが形成され、この床板本体１表面の幅方向中央には長さ方向に延びる凹溝からなる化粧目地溝３が形成されている。また、床板本体１の裏面には床板本体１の幅方向に延びる多数のスリット４，４，…が床板本体１の長さ方向に等間隔をあけて形成されている。
【００２６】
さらに、防音床板Ａの長さ方向両側端面の一方には雌実部６が、また他方には該雌実部６に嵌合可能な雄実部７がそれぞれ設けられている。一方、防音床板Ａの幅方向両側端面の一方には雌実部８が、また他方には該雌実部８に嵌合可能な雄実部９がそれぞれ設けられている。
【００２７】
そして、これら複数枚の防音床板Ａ，Ａ，…を床面の床下地上に施工する場合、防音床板Ａ，Ａ，…を長さ方向及び幅方向に並べて配置し、長さ方向に隣接する２枚の防音床板Ａ，Ａのうち、一方の防音床板Ａの長さ方向の雌実部６に他方の防音床板Ａの長さ方向の雄実部７を嵌合する一方、幅方向に隣接する２枚の防音床板Ａ，Ａのうち、一方の防音床板Ａの幅方向の雌実部８に他方の防音床板Ａの幅方向の雄実部９を嵌合することにより、複数枚の防音床板Ａ，Ａ，…を床面に施工するようにしている。
【００２８】
これに対し、図１及び図２に示すように、上記２種類のボーダー部材Ａ１，Ａ２は、いずれも上記防音床板Ａと同一の幅及び同一の厚さを有する略矩形状のもので、長さ寸法のみが防音床板Ａよりも短く、その防音床板Ａの長さ寸法の１０％以上でかつ９０％以下の範囲（９０ｍｍ〜８１０ｍｍ）、例えば３００ｍｍとされている。
【００２９】
すなわち、２種類のボーダー部材Ａ１，Ａ２の各々の幅方向両側端面の一方には雌実部８が、また他方には該雌実部８に嵌合可能な雄実部９がそれぞれ設けられ、このボーダー部材Ａ１，Ａ２の雌実部８は防音床板Ａの幅方向の雌実部８と、また雄実部９は防音床板Ａの幅方向の雄実部９とそれぞれ同じである。
【００３０】
そして、図１（ａ）及び図２（ａ）に示す一方のボーダー部材Ａ１においては、その長さ方向両側端面部のうちの一方の側端面に、防音床板Ａの長さ方向の雄実部７と同じ雄実部７が形成されているが、他方の側端面には雌実部６がなく、この他方の側端面は切りっ放しの平面とされている。
【００３１】
また、図１（ｂ）及び図２（ｂ）に示す他方のボーダー部材Ａ２にあっては、その長さ方向両側端面部のうちの一方の側端面に、防音床板Ａの長さ方向の雌実部６と同じ雌実部６が形成されているが、他方の側端面には雄実部７がなく、この他方の側端面は切りっ放しの平面とされている。
【００３２】
上記一方のボーダー部材Ａ１は、例えば防音床板Ａの長さ方向の両側端面のうちの雌実部６側の部分を幅方向に沿って、また他方のボーダー部材Ａ２は、例えば防音床板Ａの長さ方向の両側端面のうちの雄実部７側の部分を幅方向に沿ってそれぞれ切断することで形成される。これら雌実部６、雄実部７や長さ寸法を除き、ボーダー部材Ａ１，Ａ２の他の構成は上記防音床板Ａと同じである。
【００３３】
そして、ボーダー部材Ａ１（Ａ２）を防音床板Ａ，Ａ，…の施工箇所を除く例えば床面周辺部の一部又は全部の床下地上に施工する場合、ボーダー部材Ａ１（Ａ２）を防音床板Ａに対し長さ方向及び幅方向に並べて配置し、例えば、ボーダー部材Ａ１（Ａ２）の幅方向の雌実部８と、該ボーダー部材Ａ１（Ａ２）の幅方向の一側に隣接する防音床板Ａの幅方向の雄実部９とを、またボーダー部材Ａ１（Ａ２）の幅方向の雄実部９と、該ボーダー部材Ａ１（Ａ２）の幅方向の他側に隣接する防音床板Ａの幅方向の雌実部８とをそれぞれ嵌合する一方、ボーダー部材Ａ１（Ａ２）の長さ方向の雄実部７（雌実部６）と、該ボーダー部材Ａ１（Ａ２）の長さ方向に隣接する防音床板Ａの長さ方向の雌実部６（雄実部７）とを嵌合することにより、ボーダー部材Ａ１，Ａ２を施工するようにしている。
【００３４】
したがって、この実施形態では、室内の床面に図３及び図４に示す定寸法の防音床板Ａ，Ａ，…を敷き詰めて施工する施工現場において、床面の形状や面積によって上記定寸法の防音床板Ａだけでは施工できないときには、その定寸法の防音床板Ａを切断して周囲床板を作らず、その代わり上記ボーダー部材Ａ１，Ａ２を用いればよい。このため、上記のように製品としての防音床板Ａを切断する場合に較べて切断屑の発生量を低減できる。また、切断が必要なときでも、防音床板Ａよりも長さの短いボーダー部材Ａ１，Ａ２を切断すればよく、その作業性を良くすることができる。
【００３５】
また、ボーダー部材Ａ１，Ａ２の長さ方向の寸法は、定寸法の防音床板Ａの長さ寸法の１０％以上でかつ９０％以下の範囲に設定されているので、ボーダー部材Ａ１，Ａ２の長さが短くなり過ぎ、施工現場で使い道が殆どなくてそのまま廃棄物となってしまったり、或いは逆に、ボーダー部材Ａ１，Ａ２の長さが長くなり過ぎ、施工時に切断屑部分が大きくなって廃棄する量が増えたりすることはなく、ボーダー部材Ａ１，Ａ２を無駄なく有効に使用することができる。
【００３６】
尚、上記実施形態１では、ボーダー部材Ａ１，Ａ２の長さ寸法を、防音床板Ａの長さ寸法の１０％以上でかつ９０％以下の範囲としているが、２００ｍｍ以上でかつ防音床板Ａの長さ寸法よりも２００ｍｍ短い寸法の範囲（上記例では２００ｍｍ〜７００ｍｍ）としてもよい。
【００３７】
（実施形態２）
図５〜図７は本発明の実施形態２を示し（尚、以下の各実施形態では、図１〜図４と同じ部分については同じ符号を付してその詳細な説明は省略する）、防音床化粧板用のボーダー部材に適用したものである。
【００３８】
すなわち、図７は建築用化粧板としての防音床化粧板Ｂを示し、この防音床化粧板Ｂは、例えば幅が１５０ｍｍ、長さが９００ｍｍの板材からなる。防音床化粧板Ｂの長さ方向両側端面の一方には雌実部６が、また他方には上記雌実部６に嵌合可能な雄実部７がそれぞれ設けられている。
【００３９】
そして、上記防音床化粧板Ｂは室内の床面において周縁部以外の箇所に施工され、これら防音床化粧板Ｂ，Ｂ，…の施工箇所周りの一部又は全部に図５及び図６に示すボーダー部材Ｂ１〜Ｂ７が施工される。このボーダー部材Ｂ１〜Ｂ７は、防音床化粧板Ｂの製造中又は製造後から施工前までに生じた欠点部１３を有する防音床化粧板Ｂから、上記欠点部１３を幅方向に沿って切断して除去することにより形成される。
【００４０】
すなわち、上記防音床化粧板Ｂは、順は不同であるが概略、例えば突板を貼着した合板の側端面に実加工を行い、裏面に裏溝を設け、表裏をサンディングし、表面に下地塗装、着色塗装、中塗り塗装、上塗り塗装を施して製造される。そして、このような各工程において、例えば中間工程である裏溝加工の際に加工不良を生じたときには、その都度工程から除去される。しかし、最終的な塗装工程において部分的に塗装ムラやかすれ、塗膜の傷が生じたり、製造途中での損傷等の不具合が最終検査で見つかったりすることがある。さらには、製造後に施工現場等に搬送する途中で周りの物体に衝突して傷付くことがある。これらはいずれも欠点部１３となる。
【００４１】
このように部分的に欠点部１３を有する製品としての防音床化粧板Ｂに対し、図７で二点鎖線にて示すように、その欠点部１３を含む所定長さの部分（除去部Ｅ）を切断除去することにより上記ボーダー部材Ｂ１〜Ｂ７を得ることができる。
【００４２】
具体的には、図７（ａ）に示すように、防音床化粧板Ｂに欠点部１３が、雌実部６から長さ方向に３００ｍｍ離れた位置と雄実部７から５００ｍｍ離れた位置との間にある場合、その欠点部１３を含む長さ１００ｍｍの除去部Ｅを切断除去して、残りをそれぞれボーダー部材Ｂ１，Ｂ２とする。ボーダー部材Ｂ１は長さ３００ｍｍで、長さ方向の一方の側端面に雌実部６を有する。一方、ボーダー部材Ｂ２は長さ５００ｍｍで、長さ方向の一側端面に雄実部７を有する。
【００４３】
また、図７（ｂ）に示すように、防音床化粧板Ｂに欠点部１３が、雌実部６から長さ方向に２００ｍｍ離れた位置と雄実部７から６００ｍｍ離れた位置との間にある場合、その欠点部１３を含む長さ１００ｍｍの除去部Ｅを切断除去して、残りをそれぞれボーダー部材Ｂ３，Ｂ４とする。ボーダー部材Ｂ３は長さ２００ｍｍで、長さ方向の一方の側端面に雌実部６を有する。一方、ボーダー部材Ｂ４は長さ６００ｍｍで、長さ方向の一側端面に雄実部７を有する。
【００４４】
さらに、図７（ｃ）に示すように、防音床化粧板Ｂの長さ方向の略中央に欠点部１３がある場合、その欠点部１３を含む長さ１００ｍｍの除去部Ｅを切断除去して、残りをそれぞれボーダー部材Ｂ５，Ｂ６とする。ボーダー部材Ｂ５は長さ方向の一方の側端面に雌実部６を、またボーダー部材Ｂ６は長さ方向の一側端面に雄実部７をそれぞれ有し、いずれの長さも４００ｍｍとなる。
【００４５】
さらにまた、図７（ｄ）に示すように、防音床化粧板Ｂに欠点部１３が雌実部６の隅角部にある場合、その欠点部１３（雌実部６）を含む側端面から長さ２００ｍｍの除去部Ｅを切断除去して、残りをボーダー部材Ｂ７とする。このボーダー部材Ｂ７は長さ７００ｍｍで、長さ方向の一方の側端面に雄実部７を有する。
【００４６】
このようにして得られたボーダー部材Ｂ１〜Ｂ７はいずれも元の定寸法の防音床化粧板Ｂの長さよりも短くなる。各ボーダー部材Ｂ１〜Ｂ７の長さはまちまちであってもよい。しかし、図５及び図６に示すように、これらボーダー部材Ｂ１〜Ｂ７を組み合わせてボーダー部材セットにセット化するのが好ましい。
【００４７】
すなわち、このボーダー部材セットは例えば６つのユニットＵ１〜Ｕ６からなり、これらユニットＵ１〜Ｕ６の各々は、ボーダー部材Ｂ１〜Ｂ７の中から２枚を１ユニットとして組み合わせたものであり、各ユニットＵ１〜Ｕ６の２枚のボーダー部材Ｂ１〜Ｂ７は、各々の長さ方向の実部６，７同士を嵌合したときに全長が一定長さとなるように組み合わされる。
【００４８】
例えばユニットＵ１〜Ｕ３の全長が８００ｍｍとなるように組み合わせる場合、図５（ａ）に示すように、上記ボーダー部材Ｂ１の雌実部６にボーダー部材Ｂ２の雄実部７を嵌合する（３００ｍｍ＋５００ｍｍ）か、図５（ｂ）に示すように、ボーダー部材Ｂ３の雌実部６にボーダー部材Ｂ４の雄実部７を嵌合する（２００ｍｍ＋６００ｍｍ）か、又は図５（ｃ）に示すように、ボーダー部材Ｂ５の雌実部６にボーダー部材Ｂ６の雄実部７を嵌合する（４００ｍｍ＋４００ｍｍ）かすればよく、いずれのユニットＵ１〜Ｕ３も長さ寸法は８００ｍｍとなる。
【００４９】
また、ユニットＵ４〜Ｕ６の全長が防音床化粧板Ｂの長さ方向の寸法と同じ寸法９００ｍｍとなるように組み合わせる場合、図６（ａ）に示すように、上記ボーダー部材Ｂ１の雌実部６にボーダー部材Ｂ４の雄実部７を嵌合する（３００ｍｍ＋６００ｍｍ）か、図６（ｂ）に示すように、ボーダー部材Ｂ５の雌実部６にボーダー部材Ｂ２の雄実部７を嵌合する（４００ｍｍ＋５００ｍｍ）か、或いは図６（ｃ）に示すように、ボーダー部材Ｂ３の雌実部６にボーダー部材Ｂ７の雄実部７を嵌合する（２００ｍｍ＋７００ｍｍ）かすればよく、いずれのユニットＵ４〜Ｕ６も長さ寸法は９００ｍｍとなる。
【００５０】
そして、これら６つのユニットＵ１〜Ｕ６をまとめてセット化するときには、ユニットＵ１〜Ｕ６をボーダー部材Ｂ１〜Ｂ７の厚さ方向に配置するか、幅方向に配置するか、又は厚さ方向と幅方向との双方に配置するかしてセット化すればよい。
【００５１】
したがって、この実施形態においては、防音床化粧板Ｂの製造中又は製造後から施工前までに生じた欠点部１３を有する防音床化粧板Ｂから、欠点部１３を含む除去部Ｅを幅方向に沿って切断して除去して防音床化粧板Ｂ用のボーダー部材Ｂ１〜Ｂ７を形成したので、製造不良品として廃棄処理される廃棄物量を低減させることができ、防音床化粧板Ｂの製造歩留まりを向上させることができる。
【００５２】
また、上記ボーダー部材Ｂ１〜Ｂ７の２枚を１ユニットとして組み合わせて防音床化粧板用ボーダー部材セットにセット化したので、ボーダー部材Ｂ１〜Ｂ７の製造や運搬、或いは施工時等における取扱性を向上させることができる。
【００５３】
さらに、各ユニットＵ１〜Ｕ６における２枚のボーダー部材Ｂ１〜Ｂ７を、各々のボーダー部材Ｂ１〜Ｂ７の長さ方向両側端面の実部６，７同士を嵌合したときに全長が一定長さとなるように組み合わせ、これら複数のユニットＵ１〜Ｕ６をボーダー部材Ｂ１〜Ｂ７の厚さ方向、幅方向、又は厚さ方向及び幅方向の双方に配置してセット化するので、このボーダー部材セットが直方体形状に梱包し易くなり、その取扱性を一層向上させることができる。
【００５４】
特に、そのボーダー部材セットの各ユニットＵ４〜Ｕ６における全長を、防音床化粧板Ｂの長さ方向の寸法と同じ寸法（９００ｍｍ）にすることで、ボーダー部材セットの梱包ケースとして、製品たる防音床化粧板Ｂと同じサイズの梱包ケースを使用でき、製造、運搬、施工時等における堆積作業や搬送作業をより一層良くすることができる。
【００５５】
（実施形態３）
図８及び図９は実施形態３を示し、上記実施形態２では小幅板の防音床化粧板Ｂに適用しているのに対し、広幅の防音床化粧板に適用したものである。
【００５６】
すなわち、この実施形態３における防音床化粧板Ｃは、図９に示すように、幅が７５ｍｍで長さが９００ｍｍの木質板からなる４枚の小幅板部１５，１５，…を長さ方向に各々の側端面が階段状に７５ｍｍずれるように一体的に連結したもので、裏面にはクッション層（図示せず）が貼着されている。そして、防音床化粧板Ｃの長さ方向両側端面の一方には各小幅板部１５の側端面に相当する位置に雌実部６が、また他方には同様の位置に上記雌実部６に嵌合可能な雄実部７がそれぞれ形成されている。尚、防音床化粧板Ｃの各小幅板部１５表面には幅方向に延びる化粧目地溝３が形成されている。
【００５７】
上記のような防音床化粧板Ｃに欠点部１３があるとき、その欠点部１３を含む所定長さの除去部Ｅを切断除去することで、本実施形態のボーダー部材Ｃ１，Ｃ２が得られる。つまり、上記欠点部１３を含む除去部Ｅを切断除去すると、２つのボーダー部材Ｃ１，Ｃ２が形成される。
【００５８】
そして、これら２つのボーダー部材Ｃ１，Ｃ２を組み合わせてセット化し、ボーダー部材セットとするには、図８に示すように、上記一方のボーダー部材Ｃ１の雌実部６にそれぞれ他方のボーダー部材Ｃ２の雄実部７を嵌合することで、矩形板状のボーダー部材セットとすればよく、このボーダー部材セットの長さ寸法は元の防音床化粧板Ｃにおける各小幅板部１５の長さ（９００ｍｍ）よりも短くなる。
【００５９】
したがって、この実施形態においても上記実施形態２と同様の作用効果を奏することができる。
【００６０】
（実施形態４）
図１０及び図１１は実施形態４を示し、上記実施形態３では、小幅板部１５，１５，…を長さ方向に各々の側端面が階段状にずれるように一体的に連結した防音床化粧板Ｃに適用しているのに対し、矩形状の防音床化粧板に適用したものである。
【００６１】
すなわち、この実施形態における防音床化粧板Ｄは、図１１に示すように、幅が６００ｍｍで長さが９００ｍｍの木質板の表面に凹溝からなる化粧目地溝３を縦横方向に形成したもので、裏面にはクッション層（図示せず）が貼着されている。この防音床化粧板Ｄの長さ方向両側端面の一方には雌実部６が、また他方には上記雌実部６に嵌合可能な雄実部７がそれぞれ形成されている。
【００６２】
上記防音床化粧板Ｄに欠点部１３があるとき、その欠点部１３を含む所定長さの除去部Ｅを切断除去することで本実施形態の２枚のボーダー部材Ｄ１，Ｄ２が得られる。これら２つのボーダー部材Ｄ１，Ｄ２を組み合わせてボーダー部材セットにセット化するには、図１０に示すように、上記一方のボーダー部材Ｄ１の雌実部６に他方のボーダー部材Ｄ２の雄実部７を嵌合することで、矩形板状のボーダー部材セットとすればよく、このボーダー部材セットの長さ寸法は元の防音床化粧板Ｄの長さ寸法（９００ｍｍ）よりも短くなる。
【００６３】
したがって、この実施形態においても実施形態３と同様の作用効果を奏することができる。
【００６４】
（他の実施形態）
尚、上記実施形態２〜４では、２枚のボーダー部材を１組としてセット化しているが、３枚以上のボーダー部材を１組としてセット化することもできる。
【００６５】
また、上記各実施形態は、床板の場合であるが、本発明は、その他、壁材や天井材等の建築現場で施工面積やその形状に応じて切断加工される建築用化粧板に適用できるのは勿論である。
【００６６】
【発明の効果】
以上説明したように、請求項１の発明では、建築用化粧板の周りの少なくとも一部に施工される建築用化粧板のボーダー部材として、幅方向両側端面にそれぞれ互いに嵌合可能な雌実部及び雄実部が設けられ、長さ方向両側端面の一方に雌実部又は雄実部が設けられ、長さ方向の寸法が建築用化粧板の長さ寸法の１０％以上でかつ９０％以下の範囲にあるものとした。また、請求項２の発明では、同様の建築用化粧板のボーダー部材として、上記長さ方向の寸法が２００ｍｍ以上でかつ建築用化粧板の長さ寸法よりも２００ｍｍ短い範囲にあるものとした。これらの発明によれば、施工現場で床面等の形状や面積によって定寸法の化粧板だけでは施工できないときにボーダー部材を、そのまま廃棄物としたり或いは施工時に切断屑部分が大きて廃棄量が増えたりすることなく有効に用いて施工でき、製品としての建築用化粧板を切断して施工する場合に較べ切断屑の発生量を低減できるとともに、切断作業性をも向上させることができる。
【００６７】
請求項３の発明によると、建築用化粧板の製造中又は製造後から施工前までに生じた欠点部を有する建築用化粧板から、欠点部を幅方向に沿って切断して除去して建築用化粧板のボーダー部材を形成したことにより、製造不良品として廃棄処理される廃棄物量を低減させることができ、建築用化粧板の製造歩留まりを向上させることができる。
【００６８】
請求項４の発明によると、上記ボーダー部材を複数枚組み合わせセット化して建築用化粧板のボーダー部材セットとしたことにより、複数枚のボーダー部材の製造や運搬、或いは施工時等における取扱性を向上させることができる。
【００６９】
請求項５の発明によると、建築用化粧板のボーダー部材を２枚１ユニットとして組み合わせて複数ユニットにセット化した建築用化粧板のボーダー部材セットとして、各ユニットの２枚のボーダー部材を、各々のボーダー部材の長さ方向両側端面の実部同士を嵌合したときに全長が一定長さとなるように組み合わせ、複数ユニットをボーダー部材の厚さ方向又は幅方向の少なくとも一方に配置してセット化したことにより、ボーダー部材セットが直方体形状に梱包し易くなり、その取扱性を一層向上させることができる。
【００７０】
請求項６の発明によると、上記建築用化粧板のボーダー部材セットの各ユニットにおける両ボーダー部材の全長を、建築用化粧板の長さ方向の寸法と同じ寸法に形成したことにより、建築用化粧板のボーダー部材セットの梱包ケースとして、製品たる建築用化粧板と同じサイズの梱包ケースを使用でき、製造、運搬、施工時等における堆積作業や搬送作業をより一層良くすることができる。
【図面の簡単な説明】
【図１】本発明の実施形態１に係るボーダー部材の側面図である。
【図２】ボーダー部材の平面図である。
【図３】ボーダー部材に対応する防音床板の側面図である。
【図４】防音床板の平面図である。
【図５】実施形態２の各ボーダー部材セットにおけるボーダー部材の組合わせを示す平面図である。
【図６】実施形態２の各ボーダー部材セットにおけるボーダー部材の他の組合わせを示す平面図である。
【図７】実施形態２においてボーダー部材が形成される欠点部を有する防音床化粧板の平面図である。
【図８】実施形態３に係るボーダー部材セットにおけるボーダー部材の組合わせを示す平面図である。
【図９】実施形態３においてボーダー部材が形成される欠点部を有する防音床化粧板の平面図である。
【図１０】実施形態４に係るボーダー部材セットにおけるボーダー部材の組合わせを示す平面図である。
【図１１】実施形態４においてボーダー部材が形成される欠点部を有する防音床化粧板の平面図である。
【符号の説明】
Ａ  防音床板（建築用化粧板）
Ａ１，Ａ２  ボーダー部材
Ｂ〜Ｄ  防音床化粧板（建築用化粧板）
Ｂ１〜Ｂ６，Ｃ１，Ｃ２，Ｄ１，Ｄ２  ボーダー部材
Ｕ１〜Ｕ６  ユニット
６  雌実部（長さ方向）
７  雄実部（長さ方向）
８  雌実部（幅方向）
９  雄実部（幅方向）
１３  欠点部
【図１】
2004169519.tif 000003
【図２】
2004169519.tif 000004
【図３】
2004169519.tif 000005
【図４】
2004169519.tif 000006
【図５】
2004169519.tif 000007
【図６】
2004169519.tif 000008
【図７】
2004169519.tif 000009
【図８】
2004169519.tif 000010
【図９】
2004169519.tif 000011
【図１０】
2004169519.tif 000012
【図１１】
2004169519.tif 000013